(57)【要約】【課題】釣具のたこ仕掛けにおいて、針の根掛り時に釣り糸の破断による、本体の脱落を少なくする。【解決手段】たこ釣りにおいて、たこ仕掛の針が根掛りをした場合、釣り糸の破断によるたこ仕掛け基板が脱落し回収不能となるが、釣り糸が破断する前に針のみが脱落すれば、たこ仕掛け基板の回収不能は起こらない。よってこの機能を満たすため巻きスプリング方式、板スプリング方式、爪方式、破断方式による切り離し機構をたこ仕掛け基板に取り付け、釣り糸が破断するより小さい力で針のみが脱落する事によって、たこ仕掛け基板と針を切り離せば針根掛り時のたこ仕掛け基板の回収不能は起こらない。又針の離脱後に新たに針を装着すれば、仕掛けの再生が可能である。【選択図】図４
2007295829.tif 000002
【特許請求の範囲】
【請求項１】
基板から針を外す機構を備えた釣具の仕掛け。
【発明の詳細な説明】
【技術分野】
【０００１】
本発明は釣具における、仕掛に関する。
【背景技術】
【０００２】
釣具におけるたこ、いか仕掛けにおいて、根掛り対策は各種提案されている。
【特許文献１】特開平７−２０３８１１
【特許文献２】特開２００１−３２７２３６
【特許文献３】特開昭５９−１３２８３４
【特許文献４】特開昭５８−１３４９３０
【発明の開示】
【発明が解決しようとする課題】
【０００３】
釣具の仕掛けで釣るとき、針の根掛りでの釣り糸の欠損による、基板の脱落を防ぐ事にある。
【課題を解決するための手段】
【０００４】
基板から針を外す機構を備えた釣具の仕掛け。
【発明の効果】
【０００５】
本発明は針の根掛りにより仕掛の基板が釣り糸からの脱落によって、基板の回収不能を少なくする。又釣り糸からの仕掛の基板が脱落で回収不能になり、基板に取り付けられている錘の鉛が海中に放置されることによる、鉛公害を少なく出来る。
【発明を実施するための最良の形態】
【０００６】
たこ仕掛けの針の根掛り時に釣り糸の破断力に対して小さい力で針が脱落する機構であり、かつ針の装着も簡単に出来る機構を備えたたこ仕掛けである。
【実施例】
【０００７】
図１は本発明のたこ仕掛けの概略斜視図である。図１に従って説明するが、これに限定するものではない。本発明のたこ仕掛けは基板１の針挿入穴８から針２の針接続部６を基板１に挿入する。針取り出し穴７より針接続部６を出し、巻きスプリング３のスプリング接続部１０に接続し、巻きスプリング３のもう一方の釣り糸接続部１１を基板１の釣り糸取り付け穴５を通過した釣り糸４で固定する。根掛り時に釣り糸４の破断する力より小さい力で外れる巻きスプリング３の機構で針２を接続すると、根掛り時に釣り糸４が破断する前に針２が外れ脱落する。釣り糸結び目１２は引っ張り力に耐えるように結び、錘９によりバランス調整や重さ調整をする。
【０００８】
図２は図１の正面図である。基板１の材質は金属、樹脂、セラミックス、木、竹、ゴムのいずれか、あるいはその併用で製作するが、用途に合わせて選択するので特定しない。
【０００９】
図３は図１の側面図である。基板１の形状は舟形、円形、半円形、台形、四角、三角、多角形が有るが、根掛りしにくい、形状であれば特定しない。
【００１０】
図４は巻きスプリング方式の針離脱説明図である。針２の根掛りのときに釣り糸４には針２から針接続部６、スプリング接続部１０、巻きスプリング３、釣り糸接続部１１、釣り糸４と力が伝わる。釣り糸４を釣り糸の引っ張り方向Ａに巻きスプリング保持力より大きな力がかかる事により、針２には針の引っ張り方向Ｂに巻きスプリング保持力より大きな力がかかり、これによりスプリング接続部１０は作動図アが作動図イ、さらに大きな力がかかると作動図ウのように変形し針２は脱落する。新規に針２の装着するときは新規の巻きスプリング３のスプリング接続部１０に針２の針接続部６を掛け、新規の巻きスプリング３の釣り糸接続部１１に基板１の釣り糸取り付け穴５を通過させた釣り糸４を結ぶことにより装着できる。
【００１１】
図５は板スプリング方式の針離脱説明図である。針２の根掛りのときに釣り糸４には針２から針接続部６、板スプリング接続部１４、板スプリング１３、ボルト１５、基板１、釣り糸取り付け穴５、釣り糸４と力が伝わる。釣り糸４を釣り糸の引っ張り方向Ａに板スプリング保持力より大きな力がかかる事により、針２には針の引っ張り方向Ｂに板スプリング保持力より大きな力がかかり、作動図エが作動図オのようになり、板スプリング１３は板スプリングの針引っ張り時変形方向Ｃに変形する。さらに大きな力がかかると、針２は離脱し作動図カのようになる。板スプリング１３は板スプリングの針離脱後変形方向Ｄに変形する。針２の装着方法は針の装着挿入方向Ｅに針２を押すことにより、板スプリング接続部１４と基板１によって固定され装着される。
【００１２】
図６は爪方式の針離脱説明図である。針２の根掛りのときに釣り糸４には針２から針接続部６、爪接続部１９．爪天秤部１７、爪軸受け１８、基板１、釣り糸取り付け穴５、釣り糸４と力が伝わる。釣り糸４を釣り糸の引っ張り方向Aに爪の接続保持力より大きな力がかかる事により、針２には針の引っ張り方向Bに爪の接続保持力より大きな力がかかる事になる、この力の伝達により作動図キが作動図クになる。さらに大きな力がかかると、針２が離脱し作動図ケのようになる。爪の作動は針離脱時作動方向Ｆに作動し、針２が離脱後の爪接続部１９は爪の離脱後作動方向Ｇに作動する。爪天秤スプリング１６は固定ボルト１５で固定されている、図示はしないが爪天秤スプリング１６をコイルスプリング機構に変えても良い。又針２の装着方法は針の装着挿入方向Ｅに針２を押すことにより、爪接続部１９と基板１によって固定され針２が装着される。
【００１３】
図示はしないが糸、ゴム、樹脂、金属の破断部品に針２と基板１及び釣り糸４を装着し、針の根掛り時に釣り糸４の破断力より破断部品が小さい力で破断する事により、基板１と針２が離脱する。新しい破断部品に交換し針２と基板１及び釣り糸４に装着する事により、機能を再生することが出来る。
【００１４】
これ等の機構により、たこ仕掛けの針２の根掛りにおいて、基板１と釣り糸４から針２のみを離脱させ、釣り糸の破断による基板１の回収不能を少なくする。又針２の交換が簡単に出来き、仕掛け機能の再生が出来る。
【図面の簡単な説明】
【００１５】
【図１】本発明のたこ仕掛けの概略斜視図
【図２】本発明のたこ仕掛けの正面図
【図３】本発明のたこ仕掛けの側面図
【図４】本発明の巻きスプリング方式の針離脱説明図
【図５】本発明の板スプリング方式の針離脱説明図
【図６】本発明の爪方式の針離脱説明図
【符号の説明】
【００１６】
１…基板
２…針
３…巻きスプリング
４…釣り糸
５…釣り糸取り付け穴
６…針接続部
７…針取り出し穴
８…針挿入穴
９…錘
１０…スプリング接続部
１１…釣り糸接続部
１２…釣り糸結び目
１３…板スプリング
１４…板スプリング接続部
１５…ボルト
１６…爪天秤スプリング
１７…爪天秤
１８…爪軸受け
１９…爪接続部
Ａ…釣り糸の引っ張り方向
Ｂ…針の引っ張り方向
Ｃ…板スプリングの針引っ張り時変形方向
Ｄ…板スプリングの針離脱後変形方向
Ｅ…針の装着挿入方向
Ｆ…針離脱時作動方向
Ｇ…爪の離脱後作動方向
ア…作動図
イ…作動図
ウ…作動図
エ…作動図
オ…作動図
カ…作動図
キ…作動図
ク…作動図
ケ…作動図
【図１】
2007295829.tif 000003
【図２】
2007295829.tif 000004
【図３】
2007295829.tif 000005
【図４】
2007295829.tif 000006
【図５】
2007295829.tif 000007
【図６】
2007295829.tif 000008